Podtech/llm-jp-corpus-v4-ja_patent huggingface dataset:
(57)【要約】      （修正有）【課題】成人用の前開き携帯パットを提供する。【解決手段】下着に貼り付けられ汚れた場合にはトイレで簡単に取り外しでき外見的には付けていることが判らないような大きさのおむつである。男性用の前開き下着には前開き用の携帯パットを提供し、トイレも通常の利用ができるようにした。【選択図】図１
2005230493.tif 000002
【特許請求の範囲】
【請求項１】
下着に  簡単な吸水紙を貼り付け、汚れたら簡単に取り外しできるようにした成人男性用の前開き携帯パットを提供するものである。
【発明の詳細な説明】
【発明の詳細な説明】
【技術分野】
【０００１】  本発明は、下着に前開き携帯パットを貼り付け  汚れたら簡単に取り外しができるようにしたものである。
【背景技術】
【０００２】  従来、成人男性前開き用の携帯おむつはなかった。
【発明が解決しようとする課題】
【０００３】  本発明は、成人男性が仕事中や大衆の中での日常生活において  排尿が近かったり・咳き込み・力みなどでの排尿の失敗を防ぐための  前開き携帯パットを提供するものである。
お年寄り用の紙おむつがあるが、パンツ式で  成人が仕事場や大衆の中での日常生活で使用するには抵抗がある。
【課題を解決する為の手段】
【０００４】  股間部分を中心として  薄型の前開き携帯パットを下着に貼り付けできるようにしたものである。
男性用で  前開き下着の形に合うよう  前開きの携帯パットにしたものである。
汚れた場合は  下着に貼り付けた粘着テープ部分をはがしとればよい。
【発明の効果】
【０００５】  前開き携帯パットが汚れたとき、下着に貼り付けた部分をはがすだけで取り外しができ  また  新しい前開き携帯パットを下着に貼り付ければ良いので汚れたままの下着やズボンを着用している時より  不快感もなく  外見的にもよく  安心して活動ができる。
尿の近くなった人・体が少しずつ不自由になったりお年寄りなども  安心して活動できる。尿で失敗すると  下着・ズボンが濡れ外見も悪く  仕事や活動範囲が  狭められるが  そのようなことも補える。
【発明を実施するための最良の形態】
【０００６】以下、本発明の実施の形態について説明する。
（イ）  股間に挟める大きさで  粘着テープで貼り付け、取り外す時にはテープをはがせばよいものとする。
（ロ）  男性用前開き下着用に  前開き用の形とする。
（ハ）  かさばらず薄めの形とし  ズボンを着用してもわかりにくいものとする。
（ニ）  個別包装にし  持ち歩きも簡単なようにする。
（ホ）  トイレ内で  取り付け・取り外しができるものとする。
（ヘ）  肌に触れる部分は  長時間使用しても  蒸れないようにメッシュで吸水性のある紙とする。
（ト）  下着に触れる部分は  防水性のあるビニル製の素材で  音の比較的でないものとする。
本発明は  以上のような構成である。
これを使用するときは  前開き携帯パットの粘着テープのカバーを取り下着に貼り付ければ良い。前開き下着の前開き部分に携帯パットの前開き部分を挟むように止めれば良い。取りかえる時には  下着に付いているテープ部分をはがせば良い。
【実施例１】
【０００７】図３に示すように  前開きの下着に前開き携帯パットの切れ目の入ったほうを前にして貼り付ける。
使用後は  下着から貼り付け部分を剥ぎ取り  丸めてごみ処理すれば良い。
【図面の簡単な説明】
【０００８】
【図１】本発明の斜視図
【図２】本発明の一部を切り欠いた側面図
【図３】本発明の他の実施例を示す斜視図
【符号の説明】
【０００９】１．前開き携帯パット
２．粘着テープ
【図１】
2005230493.tif 000003
【図２】
2005230493.tif 000004
【図３】
2005230493.tif 000005
【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
下着に  簡単な吸水紙を貼り付け、汚れたら簡単に取り外しできるようにした成人男性用の前開き携帯パットで前開き下着に合わせて前開きの形とし、薄型でかさばらず  着けているかどうか外見ではわからないものとする。トイレ内で簡単に着けたり取り外しできるものであり、個別包装とし  持ち歩きも簡単である。
(57)【要約】  【課題】スープの量にかかわらず、多くの具を効率的にすくい取り、しかもスープも飲める。  【解決手段】蓮華１のすくい部２における側壁２１にスープ５をすくい部２から外部へ流し落とすための液体通路４を備えてなり、前記液体通路４をスープ摂取方向以外の側壁２１に備える。  【選択図】図２
2005230425.tif 000002
【特許請求の範囲】
【請求項１】
蓮華のすくい部における側壁にスープをすくい部から外部へ流し落とすための液体通路を備えてなり、前記液体通路は、液体摂取方向以外の側壁に備えられている蓮華。
【請求項２】
前記液体通路が、すくい部の左右いずれか一方側の側壁に備えられている請求項１に記載の蓮華。
【請求項３】
前記液体通路が、すくい部の先側に備えられている請求項１に記載の蓮華。
【請求項４】
前記液体通路が、すくい部の先側から左右いずれか一方側の側壁に備えられている請求項１に記載の蓮華。
【請求項５】
前記液体通路が、側壁の上端寄りに備えられている請求項２ないし請求項４いずれか１項に記載の蓮華。
【発明の詳細な説明】
【技術分野】
【０００１】
本発明は、蓮華に関し、詳しくは、具をすくいやすい蓮華に関する。
【背景技術】
【０００２】
ラーメン等のスープを飲むための蓮華は、スープ中のコーン等の細かい具を食べるためにも用いられる。
【発明の開示】
【発明が解決しようとする課題】
【０００３】
ところで、従来の蓮華では、具をすくうときに同時にスープもすくってしまい、細かい具がオーバーフローするスープと共にすくい部から落ちてしまうため、スープ中に沈んでいる具をすくい取るのに適していないものである。
そのため、細かい具を全部食べようとすると、スープをほぼ全部飲んでしまわないと食べられないということが多く、スープを全部飲めない者には不満が残っていた。
本出願人は、スープを全部飲まなくても細かい具を全部食べられる蓮華について鋭意研究した結果、本願発明に至った。
なお、本願発明に関連する先行技術文献情報については、本出願人の知り得る範囲において存在しない。
【０００４】
そこで、本発明は、スープの量にかかわらず、多くの具を効率的にすくい取り、しかもスープも飲めることを課題とし、この課題を解決する蓮華の提供を目的とする。
【課題を解決するための手段】
【０００５】
本発明は、前記目的を達成するために、下記の技術的手段を採用した。
その技術的手段は、蓮華のすくい部における側壁にスープをすくい部から外部へ流し落とすための液体通路を備えてなり、前記液体通路をスープ摂取方向以外の側壁に備えたことである（請求項１）。
本発明でいう液体通路は、たとえば、側壁に孔を設けたり側壁の縁部を凹状に形成したりすることで達成できる。
【０００６】
前記液体通路の位置は、すくなくともスープを摂取する方向以外の側壁にあればよく、具体的には、前記液体通路を、すくい部の左右いずれか一方側の側壁に備える（請求項２）、また、すくい部の先側に備える（請求項３）、さらには、すくい部の先側から左右いずれか一方側の側壁に備える（請求項４）ことが例示できる。
また、細かい具も液体も効率的にすくえるようにするには、液体通路を側壁の上端寄りに備える（請求項５）ことが好ましい。
【発明の効果】
【０００７】
本発明によれば、細かい具のみをすくう際には、当該具と共にすくわれるスープが液体通路から流れ落ち、さらに、すくい部をスープの摂取方向以外の方向に傾けることによって、すくい部に残留するスープが液体通路から流れ落ちてすくい部に細かい具のみを残すことができる。
また、スープのみをすくう際には、すくったスープの一部は、液体通路から流れ落ちるが、このとき、流体通路よりも下側のスープはすくい部に残留し、また、蓮華をスープの摂取方向に傾けてスープの水面を流体通路よりも下側にすることによって、スープをすくい部に残留させることができる。
したがって、スープの量にかかわり無く細かい具のみをすくい取ることができるので、スープを残しても全部の細かい具を食べることができ、その上、スープも飲むことができる。
【０００８】
また、請求項２の発明によれば、利き腕に応じて蓮華を選択でき、請求項３の発明によれば、利き腕にかかわらず使用することができる。
また、請求項４の発明によれば、利き腕に応じて蓮華を選択できる上に、液体通路の面積が広くなるのでスープの流し落としをより効率的に行うことができる。
また、請求項５の発明によれば、細かい具を効率よくすくい取れる上に、より多くのスープをすくい取ることができる。
【発明を実施するための最良の形態】
【０００９】
以下、本発明の実施の形態を図１ないし図４に基づいて説明する。
図１ないし図４に示す蓮華１は、基本的に周知の形態のものであり、スープや具をすくい取るすくい部２の後側に把手部３を備えてなるものである。
【００１０】
蓮華１は、すくい部２における側壁２１の先側から図１において右側に亘って複数の孔状とする液体通路４が設けられている。
液体通路４は、側壁２１の上端寄りに設けられており、この構成によって、液体通路４の下端４１からすくい部２の底部２２までの範囲を、すくい部２を平行にした状態でのすくい部２にスープ５を貯める範囲とし、前記下端４１を越えたスープ５については、液体通路４からすくい部２の外側へ流れ落ちるようにしてある。（図２参照）
【００１１】
また、前記液体通路４の下端４１からすくい部２の底部２２までの範囲に貯めたスープ５を流し落とすには、すくい部２を液体通路４側へ傾けることによって、液体通路４から前記の範囲に貯められたスープ５を流し落とすことができる。（図３参照）
前記液体通路４は、すくい取られた細かい具６が通過しない程度の径にされ、前記のようにスープ５を流し落とす場合に、具６が液体通路４から通過しないようにしている。
また、すくい部４に貯められた細かい具６は、側壁２１によってすくい部４からの落下が防止されており、前記のようにスープ５を液体通路４から流し落とすことによって、具６のみをすくい部２に残すことができる。
また、前記範囲に貯められたスープを飲むには、すくい部２を液体通路４とは逆側に傾ければ、通常通りスープ５を飲むことができる。（図４参照）
【００１２】
本発明は、前記実施の形態で例示した構成に限定されるものではなく、特許請求の範囲の各項に記載された内容から逸脱しない範囲での実施が可能である。
【図面の簡単な説明】
【００１３】
【図１】本発明に係る蓮華の一例を示す平面図。
【図２】図１の（２）−（２）線断面図。
【図３】スープを流し落とす状態を示す断面図。
【図４】スープを飲む状態を示す断面図。
【符号の説明】
【００１４】
１：蓮華
２：すくい部
３：把手部
４：液体通路
２１：側壁２１
５：スープ
６：具
【図１】
2005230425.tif 000003
【図２】
2005230425.tif 000004
【図３】
2005230425.tif 000005
【図４】
2005230425.tif 000006
(57)【要約】 【課題】  風呂蓋の構造を変えることにより、断熱性を高め、多様化する浴槽のサイズや形状に適合しやすくし、浴槽内の水および湯に対する保温、加温の効率性を上げる。【解決手段】  本発明は、連結したフロート袋（１）の中に断熱材小片（２）を入れ、防水性を有するカバー（３）で覆うことにより、断熱性と浴槽に合わせた自由な形状をとりやすい構造とし、落し蓋の要領で使用することにより、浴槽水面と外気を遮断し、断熱効果を高めることを主要な特徴とする。【選択図】        図５
2005230149.tif 000002
【特許請求の範囲】
【請求項１】
複数の連結されたフロート袋（１）に断熱材小片（２）を入れ、全体を防水性のカバー（３）で覆うことにより、断熱性を持ちかつ浴槽に合わせた自由な形状をとりやすい構造とし、浴槽水面に浮かべて使用し、浴槽水面と外気との接触面を断つことにより断熱効果を高める、保温性風呂蓋。
【発明の詳細な説明】
【技術分野】
【０００１】
本発明は、浴槽内の水温の保温ならびに浴槽内の水温加温の効率化、すなわち断熱効果を高める風呂蓋に関するものである。
【背景技術】
【０００２】
従来より、浴槽内の水温変化に影響を与える風呂蓋は多数あり、
構造内に気層を設けたり、断熱材をいれることにより断熱性を高めた風呂蓋、
風呂に直接浮かべる折り曲げ式の風呂蓋（例えば、実願平５−１９３６７号公報、実願平３−８１０４４号公報）、
などがある。
【０００３】
風呂に浮かせるタイプの風呂蓋は断熱性が高いといえる。しかし、浴槽のタイプやサイズが多様化する環境下において、従来の技術ではそれぞれの浴槽のサイズに適合することが難しい。
【特許文献１】実願平５−１９３６７号公報
【特許文献２】実願平３−８１０４４号公報
【発明の開示】
【発明が解決しようとする課題】
【０００４】
解決しようとする問題点は、既存の風呂蓋について省エネルギーの観点から、風呂に浮かせるタイプの風呂蓋は浴槽水面と外気を遮断することから断熱効果が高いながらも、浴槽のサイズや形状が多様化する中で、多様化した浴槽に対応する汎用性を有する風呂蓋がないという問題点があり、本発明は、これらの欠点を解決するために発明されたものである。
【課題を解決するための手段】
【０００５】
本発明は、
フロート袋（１）の中は断熱材小片（２）が入っている、
フロート袋（１）は複数が連結されている、
フロート袋（１）は防水性を有するカバー（３）で覆われている、
ことにより、断熱性に優れかつ自由な形状をとりやすい構造であることを主要な特徴とする。
【発明の効果】
【０００６】
本発明の保温性風呂蓋は、断熱材を小片にしたものを納めたフロート袋（１）とそれを覆うカバー（３）で構成されていることから、
落し蓋の要領で使用することにより、浴槽の水面と外気との接触面を遮断するため断熱効果が高くなる、
構造そのものが柔軟性に富んでおり、多様性のある浴槽のさまざまな形状に適合しやすい、
という以上の発明効果が挙げられる。
【発明を実施するための最良の形態】
【０００７】
以下、本発明の実施形態を添付図面にて説明する。
図５は本発明の形態を表す斜視図である。
図１は本発明の平面図である。
内部は複数のフロート袋（１）が連結されてできている。
フロート袋（１）は防水性のあるカバー（３）で覆われている。
カバー（３）には、把手（４）、紐（５）、フック（６）、止具（７）を取り付けている。
図２は、本発明の断面図（A−Ａ’）である。
フロート袋（１）の中には断熱材小片（２）が詰められており、これにより断熱性および浮力を生む。
図４は、本発明使用時の断面図（Ｂ−Ｂ’）である。
断熱材小片（２）を詰められたフロート袋（１）は柔軟性をもつことから、それ自体が浴槽の形状に適合しやすくなっており、さらにカバー（３）がフロート袋（１）の連結体よりも大きめに作られていることから、浴槽（８）の内壁にかぶさることになり、水（９）と外気の接触を遮断することが可能となり、更なる断熱性を生む。
図６は、本発明の収納時の斜視図である。
収納時においては、把手（４）により、浴槽から引き上げることができる。
紐（５）の先端を引張り、止具（７）により紐（５）を固定することにより、本発明の省スペース化が可能となる。
止具（７）とカバー（１）に挟まれたフック（６）を利用して、浴室のタオル掛けにかけるなどの方法を用い、浴室内の整理ができる。
【実施例１】
【０００８】
図２により本発明の構造とあわせた実施例を説明する。
やわらかく頑丈な素材でできたフロート袋（１）に断熱性及び浮力性の高い発砲スチロールや気泡性ウレタンなどの断熱材小片（２）を詰める。
そのフロート袋（１）を耐熱性、防水性、柔軟性を備えたビニールやアルミなどのカバー（３）にて大きく包み込み、密閉する。
本発明は柔軟性に富んでいるため、大きめに作られた本発明は図３に示すとおり浴槽のサイズによる制約を受けにくい（本発明１つの規格で多様な浴槽に適合する）。
【産業上の利用可能性】
【０００９】
本発明は、断熱効果と容器の形状的制約を受けないことを主な特徴とすることから、容器に入れた液体の加温や保温効率を上げる用途のものに関しては汎用性がある。温水利用の養魚場の養魚槽や熱帯魚飼育の水槽、温水プールの未使用時の保温、液体温度観測を伴う科学実験などである。ただし、用途によっては安全性の面から適切な素材を選択する必要がある。
【図面の簡単な説明】
【００１０】
【図１】本発明の全体像を表す正面図
【図２】本発明の断面図（Ａ−Ａ’）
【図３】本発明の使用状態を表す正面図
【図４】本発明の使用状態での断面図（Ｂ−Ｂ’）
【図５】本発明の全体像を表す正面斜視図
【図６】本発明の収納時を表す正面斜視図
【符号の説明】
【００１１】
１    フロート袋
２    断熱材小片
３    カバー
４    把手
５    紐
６    フック
７    止具
８    浴槽
８ａ  浴槽外壁
８ｂ  浴槽内壁
９    水
【図１】
2005230149.tif 000003
【図２】
2005230149.tif 000004
【図３】
2005230149.tif 000005
【図４】
2005230149.tif 000006
【図５】
2005230149.tif 000007
【図６】
2005230149.tif 000008
(57)【要約】      （修正有）【課題】洗浄便座の肛門洗浄時に飛散汚水の飛沫が便座裏面に付着しない機能を持った便座敷き紙を提供する。【解決手段】便座敷き紙を便座上部にだけ掛けるのではなく便器本体まで掛ける事が出来る様、便座と便器本体との隙間部分を便座敷き紙で覆い汚水を便座敷き紙が受け止める様にする。また、肛門洗浄用のノズルが便座敷き紙に当たらない様ノズル部分は紙をやや短くする事を特徴とする。【選択図】図１
2005230538.tif 000002
【特許請求の範囲】
【請求項１】
洗浄便座使用時において、排便後の肛門洗浄の際に飛散した汚水の便座裏面への付着を防ぎ、水解性に優れた水溶紙からなる事を特徴とする便座敷き紙。
【請求項２】
前記便座敷き紙は便座から便器本体まで便座敷き紙で覆う事を特徴とする請求項１記載の便座敷き紙。
【請求項３】
前記便座敷き紙は便座部分に敷き便座部分より余った便座敷き紙を便器本体に垂らす事で便座と便器本体の隙間が便座敷き紙で隠れる事を特徴とする請求項２記載の便座敷き紙。
【発明の詳細な説明】
【技術分野】
【０００１】
本発明は洗浄便座使用時に便座上に設置する便座敷き紙に関する。
【背景技術】
【０００２】
従来、洗浄便座専用の便座敷き紙はなく、稀に一般便座の便座敷き紙を使用している。しかしながら、それでは単に便座と人体臀部の接触を防ぐに過ぎない。
【０００３】
人体臀部の衛生のための使用としては従来の便座敷き紙で有効ではあるが、洗浄便座において洗浄便座特有の機能である肛門洗浄に対応する機能を有する訳ではない。
【０００４】
なお、旧来の洋式トイレにおいて有効な公知技術として次の特許文献１、特許文献２、特許文献３、特許文献４を挙げる。
【０００５】
【特許文献１】公開特許公報（Ａ）昭６３−５９９２０
【特許文献２】特開平１１−２８１７６
【特許文献３】特開２００３−６１８６５
【特許文献４】特開２００３−２１０３６０
【発明の開示】
【発明が解決しようとする課題】
【０００６】
上述の如く、従来技術に係る便座敷き紙は便座使用において便座と人体臀部の接触を防ぐ場合にのみ有効ではあるが、洗浄便座使用において排便後の肛門洗浄の際に便座裏面へ飛散した汚水を防ぐ事が出来ない。
【０００７】
このため、洗浄便座裏面は汚水の飛沫で汚れる事が多々あり衛生的ではないのが現状である。
【０００８】
本発明はこの様な点に鑑みて成されたものである。その目的は、洗浄便座使用において肛門洗浄の際に飛散した汚水飛沫を防ぐ事である。
【課題を解決するための手段】
【０００９】
上述の目的を達成する本発明の便座敷き紙は、便座敷き紙を便座上部にだけ掛けるのではなく便器本体まで掛け、便座と便器本体との隙間部分を便座敷き紙で覆い汚水を便座敷き紙が受け止める様にする。また、肛門洗浄用のノズルが便座敷き紙に当たらない様ノズル部分は紙をやや短くする。
【発明の効果】
【００１０】
以上説明した様に本発明によれば、洗浄便座の肛門洗浄において飛散する汚水の飛沫が便座裏面に付着する事を防ぐ事が可能となる。また、従来どおり人体臀部と便座の接触を防ぐ事も可能である。
【発明を実施するための最良の形態】
【００１１】
以下、本発明の実施形態を図面に基づき説明する。
【００１２】
図１、図２は本発明の実施形態に係り、図１は本発明の使用状態の図１、図２は本発明の平面図である。
【００１３】
図１、図２が示す様に、肛門洗浄時に便座敷き紙が洗浄ノズルの働きを妨害しない様、飛散する汚水の飛沫が便座裏面に付着しない様に、特殊な形状の水溶紙から成っている。
【００１４】
便座着座時には着座部分１が便座と人体臀部との接触を防ぐ。
【００１５】
折り目部分２は容易に折れ曲がる様、予め折り目を便座敷き紙に付けたものであり、便座着座前に折り目部分２を軽く折り込み便器内部に余白部分３、余白部分４及び補助余白５を垂らし便座に設置する事で便座と便器本体との隙間を余白部分３、余白部分４及び補助余白５が覆い、便座裏面に飛散する汚水を防ぐ事が出来る。
【００１６】
補助余白５は便座敷き紙を生産する際に製造過程の簡易化のため、取り付けが容易に出来る様にした当て紙であり余白部分３及び余白部分４の隙間より浸入する飛沫を防ぐ。この様に、形態を洗浄便座に適合させ、便器内に垂らせる余白部分３、余白部分４及び補助余白５を設ける事で肛門洗浄の際の便座裏面への飛散する汚水の飛沫を防ぐ事が可能となる。
【実施例】
【００１７】
水解性に優れた水溶紙を用い、例えば、折り目部分２から余白部分３の便器に垂らす端までの長さを１２０mmとし、余白部分４を１００mmとする。それぞれの余白部分は直線に切れ目を入れるだけで良い。補助余白５は他と同じ水溶紙であくまで余白部分の隙間を塞ぐ程度、例えば、１２０mm程とし図１、図２のように取り付ける。この際、補助余白５の全ての裏面を接着するのではなく着座部分１に接する僅かな部分のみ接着させ十分にあそびを持たせる。
【００１８】
以上、本発明の実施の形態及び実施例を説明したが、本発明の範囲はこれに限定されるものではない。例えば、便座利用の便宜に合わせ余白部分３、余白部分４、補助余白５の長さの変更をする事も可能である。
【００１９】
また、余白部分５は着座部分１の上部への取り付けが適しているとは思われるが、便宜により着座部分１の下部への取り付けも可能である。
【産業上の利用可能性】
【００２０】
本発明は基本的に洗浄便座使用の際の便座裏面への飛散汚水飛沫防止が目的であるが用途に拘る事なく、例えば、トイレに不慣れな子供の補助として、極度の下痢の際の汚れ防止として、通常の肛門洗浄機能を有さない洋式トイレでの使用も可能であり、トイレ用品を製造、販売する産業分野で利用する事が出来る。
【図面の簡単な説明】
【００２１】
【図１】本発明の実施形態に係る便座敷き紙の使用状態の図である。
【図２】本発明の製品の平面図である。
【符号の説明】
【００２２】
１          着座部分
２          折り目部分
３、４      余白部分
５          補助余白
【図１】
2005230538.tif 000003
【図２】
2005230538.tif 000004
(57)【要約】      （修正有）【課題】従来は、固形石鹸と水切り受け皿の容器は別々だった。したがって欠点が生じた。それを一つにして便利な固形石鹸接着用軽石台を提供する。【解決手段】固形石鹸（２）に接着面（３）と水分を通さない保護面（４）を持った軽石台（１）を、接着したことを特徴とする。【選択図】図１
2005230505.tif 000002
【特許請求の範囲】
【請求項１】
天然軽石又はセラミックの発泡体等の人口軽石（１）の接着を用いた固形石鹸（２）の台。
【発明の詳細な説明】
【技術分野】
【０００１】この発明は、固形石鹸の一部分に天然の軽石又はセラミックの発泡体等の人口軽石台が接着した固形石鹸に関するものである。
［背景技術］【０００２】従来、固形石鹸には水切り受け皿の容器とは、別々になっていた。
［発明の開示］
［発明が解決しょうとする課題］【０００３】これは次のような欠点があった。
（イ）固形石鹸は水分に弱く、水切れが悪いと形崩れするために、従来、水切り容器の固定置場所が必要とした。
（ロ）固形石鹸の水切り受け皿の容器には常に石鹸の汚れが付いた。
（ハ）固形石鹸は水分を含むと表面が滑り、手から落としやすい。
（ニ）小さくなり水分を含んだ固形石鹸は、最後まで使いこなし難い。
本発明は、これらの欠点を除くためになされたものである。
［課題を解決するための手段］【０００４】  天然の軽石又は、セラミックの発砲体等の人口軽石台（１）には、水分を通さない、保護材で被った軽石保護面（４〉と、保護材を除いた軽石接着面（３）とがある。
固形石鹸（２）の一部分に、天然の軽石又は、セラミックの発泡体等の人口軽石台（１）の軽石接着面（３）を接着する。
本発明は、以上の構成によりなる固形石鹸（２）接着用軽石台である。
［発明の効果］【０００５】発明は以上のような構造で、これを使用するときは、
（イ）容易に軽石台（１）に接着した固形石鹸（２）は、水分を早く切り形崩れが防がれた。
（ロ）従来、使用された固形石鹸（２）の水切り受け皿の容器は不要となり、固定置場所が自由となった。
（ハ）軽石台（１）は、水分を含み滑りやすい固形石鹸を、手の中で滑り止めの役目を果たす。
（ニ）水分を含んだ小さな固形石鹸（２）は軽石台（１）に接着し、最後まで使い切れる。
［発明を実施するための最良の形態］【０００６】  以下、本案の形態例について説明する。
軽石台（１）の軽石接着面（３）に水分を含ませ、固形石鹸（２）に接着する部分を除いた軽石の面に、水分を通さない保護材で自然軽石又は、セラミックの発砲体等の人口軽石台（１）を被う。
本発明は、以上のような構造でこれを使用するときは、軽石台（１）と固形石鹸が一体となった。この軽石台（１）で、固形石鹸（２）の本来の快適な感触と長所を活かし、資源の無駄を除いた。
【図面の簡単な説明】
【０００７】  ［図１］本発明の斜視図である。
［図２］本発明の軽石台の断面図である。
［符号の説明］【０００８】１    軽石台
２    固形石鹸
３    軽石接着面
４    軽石保護面
【図１】
2005230505.tif 000003
【図２】
2005230505.tif 000004
(57)【要約】      （修正有）【課題】表皮に外傷を伴う骨折、特に開放性骨折の場合、透明な素材で形成することにより、創傷部の経過を容易に観察、治療することができ、また従来のものより衛生的なギブスを提供する。【解決手段】創傷面を保護、固定する部位が中材を含め全て透明な素材で形成されている。また、中材はゲル状になっており、注入口、排出口を設けたためギブスを装着したまま中材の交換を行える。これによって、装着者の掻痒感も改善される。中材には任意の医薬品が添加できるため、創傷部の固定と治療を同時進行で行うことが可能になった。着脱も容易である。固定時にはエアチューブを使用し、皮膚表面への負担を軽減した。エアチューブによって、緊急時に迅速な着脱をすることも可能となった。【選択図】図１
2005230510.tif 000002
【特許請求の範囲】
【請求項１】
透明な素材で形成され、内部に薬品添加が可能なゲルを充填した骨折用の固定具。
【請求項２】
ゲル状の中材の注入口と排出口を備え、ギブスを装着したまま圧力でのゲル交換を行うことを特徴とする請求項１の骨折用固定具。
【請求項３】
チューブ型バルーンにより、様々なサイズの患部に対応した固定を行うことを目的とする請求項１の骨折用固定具。
【発明の詳細な説明】
【発明の詳細な説明】
【技術分野】
【０００１】  本発明は、骨折等の整形外科治療で用いられる骨折用固定具に関するものである。
【背景技術】
【０００２】  従来のギブスは、布等の中材を創傷部にまきつけ、その上から石膏など硬質な素材のギブス材で固めていくというものであった。
【発明が解決しようとする課題】
【０００３】  しかしながら、装着中に皮膚表層の治療を行うことは不可能であった。さらにギブスの性質上、骨折の治療終了まで、中材の交換や患部の衛生を保つことは難しく、装着にも時間がかかるという問題点がある。さらに、高齢者などが装着する場合、ギブス装着による皮膚への刺激によって起こる辱創、掻痒感、かぶれなどが問題となる。
【課題を解決するための手段】
【０００４】  本発明は、エアチューブによって着脱を調節する、透明な素材で形成されたギブス本体と、その内部に任意の薬品添加が可能である透明のゲルを充填した、外部からの創傷の確認が容易であるギブスを提供することにより、上記課題を解決したものである。
【実施例】
【０００５】  本発明のクリアギブスは、硬質で透明な樹脂素材によって外部を形成している。本体形状は下肢（くるぶし周辺）の固定用である長靴型（図３）とそれ以外の部位にもちいる筒型（図４）である。
双方とも矢状面で分断し、切断面にゴムパッキンを装着、水漏れを防止する。【０００６】装着時、分断面は、金具３で強く固定する。
本体上部、下部の開放部（筒型のみ）は軽く内側に曲げられており、エアパッキン（図３）の飛び出しを防止する。
エアパッキン（図８）は本体の上部下部１に取り付ける。伸縮性の素材で形成し、空気圧調整用の空気注入口を備えたドーナツ型のチューブ型バルーンを、本体開放部内側２に取り付け、空気注入口８より注入する空気の圧によって圧力を変化させるパッキンとする。
さらに長靴型（図３）ではエアパッキンを踵部に挿入。足の位置を固定、保持する。【０００７】  ギブス本体６とエアパッキン（図２）の間には任意の薬剤を添加したゲルを充填する。
本体にはゲルの注入口４、排出口５を備えており、充填されたゲルを圧力によって交換するのに用いる。
方法としては、ゲルの注入口４より新しいゲルを注入することにより、古いゲルが押し出されて排出口５より排出されるというものである。なお、注入口４と排出口５はギブス使用時漏れを防止するためねじ７で止められている。
【発明の効果】
【０００８】  以上のように、請求項１記載の発明によれば、全体を透明な素材で形成しているため、外部からの創傷の経過観察が容易である上、中材がゲル状であるため、従来の中材による刺激を軽減することが出来る。さらに任意の薬品を添加できるので、創傷の治療をも行うことが出来る。
また、請求項２記載の発明によれば、ゲル中材の注入口と排出口を設けたことにより、中材を、ギブスを装着したまま交換することが出来るため、患部の衛生を保ち、掻痒感を改善することが出来る。請求項３の発明によれば、チューブ型バルーンをギブス固定に用いることにより、皮膚への刺激を軽減させ、辱創を防止することが出来る。さらにチューブ型バルーンは空気の注入量により大きさを変えられるので、どのような体格の人の四肢にも合わせられるため、使いまわしが利き経済的である。
【図面の簡単な説明】
【図１】  本発明に関わるクリアギブスの構成を表す断面図である。
【図２】  本体に挿入されるエアパッキンの外観図である。
【図３】  クリアギブス（長靴型）の構成、装着の様子を表す外観図である。
【図４】  クリアギブス（筒型）の構成、装着の様子を表す外観図である。
【符号の説明】
１・・・エアパッキン挿入部
２・・・エアパッキン空気注入部装着口
３・・・ギブス固定用金具
４・・・ゲル注入口
５・・・ゲル排出口
６・・・水漏れ防止パッキン
７・・・ゲル漏れ防止ねじ
８・・・エアパッキン空気注入口
【図１】
2005230510.tif 000003
【図２】
2005230510.tif 000004
【図３】
2005230510.tif 000005
【図４】
2005230510.tif 000006
(57)【要約】【課題】子供や初心者が粘土を素材として、立体模型を作る場合相当な熟練が必要である。しかしペーパクラフトの展開図から、紙の立体模型を作るのは比較的容易である。紙の代わりに粘土を材料とし、丈夫で、耐久性のある、焼成すれば陶磁器製品になる、といういろいろな利点をもった立体模型を、展開図から容易に制作する方法を確立する。【解決手段】ゴム板、（ゴム板のような柔軟性と弾力をもった素材）を切り抜いた  凹面の型をつくる。切り抜いた跡が型の役目をする。このゴム板の凹部を型として粘土を詰め、型抜きをし、種々の粘土のパーツを作る。このパーツをペーパクラフトの技法を応用して変形、加工、ドベ（泥状の粘土）付けをして、組み立て、立体模型を創る。【選択図】図１
2005230506.tif 000002
【特許請求の範囲】
【請求項１】
ゴム板、またはゴム板のような柔軟性と弾力を持つ素材を切り抜き、その切り抜いたあとの凹面を粘土、紙粘土の型として使用すること。
【発明の詳細な説明】
【技術の分野】
【０００１】  本発明は粘土を板状（タタラ）にして、ゴム板の型を使用し、ペーパクラフトの切り抜いた紙のようなタタラ片を作り、立体造形を行うものである。
【背景技術】
【０００２】  ペーパクラフトで動物、植物等を作るとき、幾つかの折り目が面を構成し、ペーパクラフトとして、一つの立体を創りあげている。この紙彫刻とも呼ばれるペーパクラフトは、紙の材質の特質をよく知った技術者により創られた展開図により、切断し曲面や折り目をつけ糊付けをして組み立てるものである。【０００３】  陶芸のタタラづくりは。平面を立体的に創りあげていく技法で、紙彫刻、ペーパクラフトと類似している、材質の違う粘土の特質を紙彫刻の技法を応用し、何枚かのタタラを変形し加工しながら組み立てていこうとする発想である。
【発明の開示】
【発明が解決しようとする課題】
【０００４】  解決しようとする問題点は、ペーパクラフトのカッターで切り取ったパーツのような、タタラパーツを作ることで、紙と違った粘土の特質を生かした、クレイクラフトを創ることである。
【課題を解決するための手段】
【０００５】  本発明は、粘土に展開図を描画する代わりに、ゴム板に描画し展開図を切り抜き、切り抜いた跡が凹面となるゴム板に粘土を詰め、ゴム板の凹面を型として平面のタタラを作りペーパクラフトのように、変形、加工、ドベ（紙の糊に相当する泥状の粘土）付けをして組み立てるクレイクラフトで、ゴム板の凹面を粘土の型とすることが、最も主要な特徴と言える。
【発明の効果】
【０００６】  本発明のモールド、クレイクラフトは柔軟性のあるゴム板を切り抜いて、粘土の型にすることで、型作りが容易にできること、紙を切り抜くのと同程度ぐらいの複雑なゴム板の型ができること、ゴムの型は柔軟なので型から粘土をはずす、いわゆる離型が容易であること、型づくりなので量産できること、ペーパクラフトの展開図を参考にして立体模型の制作ができること、焼成によって耐久性のある陶磁器ができること、の利点がある。【０００７】  ペーパクラフトの展開図は、リアルに表現しようとするほど細かい切り込みが多くなる。そのためその表現には限度がある。モールド、クレイクラフトでも同様のことがいえる。細かく表現することとあわせて丈夫さも必要とされるので、細かい表現にはペーパクラフトがやや優るが、丈夫さ、耐久性の点ではモールド、クレイクラフトが優れている。
【発明を実施するための最良の形態】
【０００８】  ゴム板の型を制作するため展開図の下に、赤色（黒色はゴム板と同色で見え難い）のカーボン紙を敷き、ゴム板に写す、写した展開図を切り抜き、ゴム板の凹面の型を作る。制作品の必要とする数だけの型を作る。【０００９】  ゴム板の型に粘土を詰める（焼成を考えなければ紙粘土でもよい、細かい型ならば可塑性の大きな粘土の方が型取りし易い）陶芸で使用する弓でゴム板の上を強くなぞり、余分な粘土を除く。ゴム板の柔軟性を生かしながら、型より粘土片をはずす。【００１０】  ゴム板の型から抜いた粘土片は平面なので、立体感をもたせるため、円に切り込みをいれ円錐状にして、中心をふくらませ丸みをつけ、ドベで切り込み部分を接着し、平面の粘土片を立体化する。このようにペーパクラフトで平面を立体化するような方法で、粘土片の部品を作る。粘土片は紙と違って厚みがあるので、のりしろは通常必要としない。最終的に粘土の部品の何個かを組み合わせ、ドベで接着して立体模型を作る
【実施例】
【００１１】  ペーパクラフトの展開図を参考にして作った、かぶとむしの展開図をゴム板に写し、図１はそれを切り抜いた頭部の型である。作業の都合上。頭部、羽、右足、左足、腹部の５パーツに分ける。図２は粘土の型抜きをするとき、ゴム板に粘土を詰め、弓をゴム板上に押し当てながら引き、余分な粘土を除く作業を示す。図３は粘土板の型からはずした粘土パーツである。細かいところもゴム板の柔軟性を利用して、はずすと容易である。【００１２】  頭部の凹形の円のところ、および羽の尻の切り込みのあるところに、ドベをつけて貼り合わせ、円の中心及び羽の尻の中心が、持ちあがるように、ふくらませ立体感をだす。【００１３】  図４は腹部と足をドベで接着しその上に頭部と羽を接着した、立体模型の完成図である。
【産業上の利用可能性】
【００１４】  紙を使って動植物等の立体模型を制作する、ペーパクラフト（紙彫刻）の展開図は、かなり精密なものが市販されている。しかし制作物の耐久性の面において難色がある。粘土を材料とした型作りの手法の型は、普通石膏で作られ簡単なレリーフは別として、原型の制作、石膏取りは専門の職人の技術が必要である。本発明はゴム板を切りとった凹面を型として、ペーパクラフトの手法で種々の立体模型を制作することができ、その制作技術は容易であり、焼成すれば陶磁器になるので、産業上の利用価値は大である。
【図面の簡単な説明】
【００１５】
【図１】ゴム板を切り抜いて作った、凹面のあるゴム板の型
【図２】陶芸用の弓で余分な粘土を除く作業を示す
【図３】型取りをした粘土のパーツ
【図４】組み立てた立体模型
【符号の説明】
【００１６】  １  かぶとむし頭部
２  かぶとむし羽
３  かぶとむし腹部
４  かぶとむし足部
【図１】
2005230506.tif 000003
【図２】
2005230506.tif 000004
【図３】
2005230506.tif 000005
【図４】
2005230506.tif 000006
(57)【要約】      （修正有）【課題】桃など、中央に大きな堅い種を有する果物の種を、果物の外皮を剥がずに果肉から分離できる調理器具を提供する。【解決手段】握り部１と、果物の種の周辺形状に近似した曲線形状を有するカット部材２とより構成するとともに、カット部材２の種との接触部には、果物の繊維を切り離すための微細な切り込み部３を複数設け、握り部１を果物に触れない位置に設けた。【効果】果物の外皮を剥ぐ前に、果肉と種を分離でき、その状態から果物を分割することで、果肉への傷や手の汚れを防止できる。【選択図】図１
2005230516.tif 000002
【特許請求の範囲】
【請求項１】
握り部と、中央に大きな種を有する異物の種の周辺形状に近似した曲線形状の切り込み部を有するカット部材とよりなる調理道具。
【請求項２】
カット部材の種子接触部に、果物の繊維を切り離すための徴細な切り込みを複数有するものであることを特徴とする請求項１記載の調理道具。
【請求項３】
握り部が、使用時に果物に接触しない位置に設けられたものであることを特徴とする請求項１又は２記載の調理道具。
【発明の詳細な説明】
【技術分野】
【０００１】  本発明は、果物の実と種を離す調理道具に関するものである。
【背景技術】
【０００２】  従来、柄に直線的な刃がついた果物ナイフがあった。
【発明の開示】
【発明が解決しようとする課題】
【０００３】  それには次のような問題点があった。
（イ）桃等の果物は、中央に大きな堅い１つの種があるので、りんご等のように実と          種をいっしょに切り、実を分割することができなかった。
（ロ）桃等の果物は、まず皮を剥き次に種の周囲に沿って実を切り離すため、実の形          を揃えて切り離すのが難しかった。また、はじめに皮を剥くと果汁で滑って持          ちづらく手もベトベトになった。また、落とさないように少し力を加えて持つ          と実にキズが付き易い。
本発明は、以上の問題点を解決するためのものである。
【課題を解決するための手段】
【０００４】  握り部と、中央に大きな種を有する果物の種の周辺形状に近似した曲線形状の切り込み部を有するカット部材とよりなる調理道具。カット部材の種子接触部に、果物の繊維を切り離すための微細な切り込みを複数有するものである。握り部が、使用時に果物に接触しない位置に設けられたものである。以上を特徴とする調理道具である。
【発明の効果】
【０００５】  果実を分割する前に実と種を切り離すことが可能となり、その状態から分割することで実の形を揃え分割できる。分割後に皮を剥く作業により、持ちやすく余分な力が入りづらいため実にキズが付きづらく手もベトベトになりづらい。カット部材の種子接触部に、果物の繊維を切り離すための徴細な切り込みを左右に設けた場合、実と種を離しやすい。握り部は、使用時に果物に接触しない位置に設けられているため実にキズを付けない。
【発明を実施するための最良の形態】
【０００６】  以下、本発明の実施の形態について図１から図６を示しながら説明する。
（イ）握り部（１）と、カット部材（２）とよりなる。
（ロ）カット部材（２）は、桃等の切断に十分な長さであり、握り部（１）は、使用          時に果物に接触しない位置に設ける。
（ハ）握り部（１）には、操作時に手が安定するように、指に合わせた形状のへこみ          （４）が設けられている。
（ニ）カット部材（２）は、作業時に切断維持可能な形状と堅さのステンレス等の材          質からなり、図３端面図に示すように平板状で、側面から見た場合は図１に示          すように湾曲している。
（ホ）カット部材（２）の湾曲形は、中央に大きな種を有する果物の種の周辺形状に          近似している。
（ヘ）カット部材（２）の種子接触部の幅は、図２図４ａｂに示すように種子接触部          の長さの中央付近に向い多少太くなり先端に向かって細くなっている。
（ト）カット部材（２）の種子接触部は、図２図４ａｂに示すように果物の繊維を切          り離すための徴細な切り込み（３）が左右側面に設けられている。
本発明は、以上の構成よりなっている。
これを使用するときは、図５ａに示すように、握り部（１）をカット部材（２）先端を果物の実の上部中央から種に沿うように実の中に差し込む。次に、図５ｂに示すように、カット部材（２）が種に沿って一周するように握り部（１）を動かして実と種を離す。握り部（１）は、使用時に果物に接触しない位置にあるため実にキズを付けない。また、へこみ（４）を設けているため握りやすく動かしやすい。図２図４ａｂに示すように、カット部材（２）の種子接触部に徴細な切り込み（３）を設けているため、果物の繊細を切ることができ実と種を離しやすい。また、カット部材（２）の幅が広くなった部分が種に沿ってガイドの役目をし、安定した切り込みを可能とする。本発明により、果物の実と種を離した後は図６に示すように、ナイフで果物の実の表面から中央に向かい種にぶつかるまで切れ目を入れる。すでに実と種が離れているので簡単に実が種から外れ、きれいに分割することができる。実を分割した後で皮を剥くので持ちやすく余分な力が入らないため、実にキズが付きづらく手もベトベトになりづらい。このように本発明を使用することで、果物の実を形を揃えて、きれいに分割することが簡単にできる。
【図面の簡単な説明】
【０００７】
【図１】本発明の右側面図
【図２】本発明の正面図
【図３】本発明のＡ−Ａ端面図
【図４】本発明のカット部材説明図
【図５】本発明の使用図
【図６】本発明の利用説明図
【符号の説明】
【０００８】    １  握り部
２  カット部材
３  切り込み
４  へこみ
【図１】
2005230516.tif 000003
【図２】
2005230516.tif 000004
【図３】
2005230516.tif 000005
【図４】
2005230516.tif 000006
【図５】
2005230516.tif 000007
【図６】
2005230516.tif 000008
(57)【要約】      （修正有）【課題】安全装置の掛け外しの手間がかからず、又安全装置の掛け忘れがなくなり、安全作業が出来るようになること。【解決手段】上下作動する装置に安全棒を設け、ピンを軸として一定方向にスライドでき、尚規定位置までバネで引き寄せ出来る様にして、装置が最上昇すると同時に、安全棒は、バネ力で規定位置に引き寄せられ、安全棒迄少し降下させることでセット完了。解除は、少し降下させた分上昇させると案内板によって安全棒は外側に押し出され、セットは解除される。人為的事故防止として上昇したら強制的にセット、降下させる時は強制的に解除して安全作業ができるようにした。【選択図】  図２
2005230512.tif 000002
【特許請求の範囲】
【請求項１】
機械等の上下作動をさせ、定位置で停止して作業する時の安全装置において、定位置で停止して作業する時の安全装置となる棒を設け、この棒に軸となるピンと、一定の位置まで引き寄せる為のバネと、安全装置となる棒を解除する、解除用ガイドアームと解除用ガイドアームの動きを制御する、作動棒を設けて、機械等の上下作動をさせる事で、安全装置のセット及び解除が出来ようにしたことを特徴とする安全装置。
【発明の詳細な説明】
【発明の詳細な説明】
【技術分野】
【０００１】本発明は、産業用機械、作業装置等で装置を上下作動させる装置の安全装置として利用する。
【背景技術】
【０００２】従来、あらゆる産業機械等で装置が上下作動し、上昇した状態で作業する装置に安全装置があるが、そのほとんどが人の手によって、安全装置をセットまたは解除している、複数の安全装置が有るとセット、解除には、手間が掛かり面倒である。
【発明が解決しようとする課題】
【０００３】安全装置はその大半が人の手によってセットされているため、セット忘れ等による落下事故、特に油圧装置の構造によるものは油圧ホースの破損、誤操作等による落下事故が発生している。
【課題を解決するための手段】
【０００４】上下作動する装置に安全棒を設けピンを軸として、一定方向にスライドでき、尚規定位置までバネで引き寄せ出来る様にして、装置が最上昇すると同時に、安全棒は、バネ力で規定位置に引き寄せられ、安全棒迄すこし降下させることでセット完了。
解除は、少し降下させた分上昇させると案内板によって安全棒は外側に押し出されセットは解除される。人為的事故防止として上昇したら強制的にセット、降下させる時は強制的に解除して安全作業ができるようにした。
【発明を実施するための最良の形態】
【０００５】以下、本発明を図面にて実施例を参照し説明する。
図は本発明による安全装置を装着した一実施例を示すもので、図１は生コンクリートを打設する装置として、機械化した物の側面図で、装置の脚▲１▼を上下動させると共に、コンクリート打設の時は図１の状態で作業をする為、▲１▼の脚に安全装置をとりつけしてある。
以下▲１▼の脚部の図を拡大して説明すると、図２は上下動脚▲１０▼を上げているとき▲２▼の安全棒の状態を示す側面図で、図３は上下動脚▲１０▼を下げて最下部になると安全棒▲２▼は▲６▼の引きバネで引き寄せられ▲１１▼の止め棒に当り図３の状態となる。
この状態から少し▲１０▼の上下動脚を上げると▲２▼の安全棒が▲７▼の安全棒受けに当たってセットされると共に、▲４▼の作動棒が▲２▼の安全棒で押し上げられて▲３▼の案内板は▲４▼の作動棒の引っ掛かりから外れて図４の状態となり、この状態で作業する。作業後、装置を移動する際に図４の状態から少し▲１０▼の上下動脚を下げると、図４の安全棒▲２▼の上部の引っ掛かりピン▲８▼が案内板▲３▼に沿って移動し、同時に▲４▼の作動棒は▲５▼の押しバネで押し下げられ最下部で図５の状態となり、この状態から▲１０▼の上下動脚を上げると図６の様に▲２▼の安全棒を外に押し出して上昇し、そのまま上昇を続けると▲２▼の安全棒の上部の引っ掛かりピン▲８▼が案内板▲３▼から外れ案内板▲３▼は▲４▼の作動棒に引っ掛かって図２の状態となり、これが繰り返され、▲１０▼の上下動脚を伸ばすと▲２▼の安全棒がセット、縮める事で▲２▼の安全棒が解除し、作業工程上で、安全装置が作用することになる。
【発明の効果】
【０００６】本発明の様にすれば、その都度安全装置を掛けたり、又外したりの手間が掛からず、安全装置の掛け忘れ等が無くなり、安全作業が出来るようになる。
【図面の簡単な説明】
【０００７】図１は、生コンクリートを打設する装置全体の側面図
図２は、図１の▲１▼脚の拡大図で、上下動する脚を最上昇した位置及び安全棒の位置状態の側面図
図３は、上下動する脚を最降下した位置、及び安全棒の位置状態の側面図。
図４は、安全棒が安全棒受けに当たってセットしている状態。
図５は、案内板の先端に安全棒の引っ掛かりピンが乗った状態
図６は、上下動する脚を上昇させることで安全棒が外側に押し出されている状態。
図７−１は、図３の円内を拡大した側面図
図７−２は、図３の円内の拡大した正面図
図８−１は、図４の円内を拡大した側面図
図８−２は、図４の円内の拡大した正面図
【符号の説明】
▲１▼、装置の脚と全体図
▲２▼、安全棒
▲３▼、案内板
▲４▼、作動棒
▲５▼、押しバネ
▲６▼、引きバネ
▲７▼、安全棒受け
▲８▼、引っ掛かりピン
▲９▼、固定脚
▲１０▼、上下動脚
▲１１▼、止め棒
▲１２▼、安全棒スライドガイド
▲１３▼、安全棒取り付け架台
▲１４▼、本体脚台
▲１５▼、レール
▲１６▼、レール脚台
▲１７▼、レール脚
【図１】
2005230512.tif 000003
【図２】
2005230512.tif 000004
【図３】
2005230512.tif 000005
【図４】
2005230512.tif 000006
【図５】
2005230512.tif 000007
【図６】
2005230512.tif 000008
【図７−１】
2005230512.tif 000009
【図７−２】
2005230512.tif 000010
【図８−１】
2005230512.tif 000011
【図８−２】
2005230512.tif 000012
(57)【要約】      （修正有）【課題】姿勢の悪い人が多い作今、私の娘も肩こりが重症になると顔がむくんでとても大きくなるのです、首すじのツボを押してやると治るのです。その為東洋医学も勉強し考え試作品も作りました。【解決手段】首すじのツボ、百労、下新織同時に入り、角度によっては肩の肩井、後頭部、天柱のツボに入るので短時間で解決リフレッシュ出来ます。【選択図】図１
2005230515.tif 000002
【特許請求の範囲】
【請求項１】
首は繊細な部分首筋のツボに入るので時間は５分で良いリフレッシュ、マッサージグッツです。
【請求項２】
素材はプラスチック、木、ビニール
【発明の詳細な説明】
【技術分野】
【０００１】私は理容の仕事をして肩こりが重症で肩から背中にかけしびれが走るのです。そのうえけんしょう炎、さらに吐きけ等食欲もなくなり仕事をやめざるえない時も有りました。
【背景技術】
【０００２】いつでもどこでも少しの時間に出来ます。
【特許文献１】
【特許文献２】
【非特許文献１】
【非特許文献２】
【発明の開示】
【発明が解決しようとする課題】現代人は姿勢が悪い、その為自分の体を酷使しています．
姿勢が悪と肩こりは大変なものです、病気の原因となる円形脱毛症手のしびれ、多々有ります。
【課題を解決するための手段】ツボに入るので５分で効果が現れます．
血液循環が良く、楽になります。
【発明の効果】持運びが楽、自分で好きな時間に出来る
どこへでも携帯できる、病気の予防が出来るので健康的な生活が出来る
【発明を実施するための最良の形態】小型で持運び収納が楽です
邪魔にならない、手軽に手に入り易い．
【実施例】私は毎日５分マッサージするだけで頭がスッキリします。病気の予防に心掛けています。
【産業上の利用可能性】理美容関係者コンピューター事務車の運転その他仕事等で疲れた時、側に置いて５分やるだけでツボに入るので体が楽になります。
【図面の簡単な説明】
【図１】全体が丸くカーブしているので安定感があります．男性と女性とでは骨組が異なるので大、小とあります。床（または畳）あお向けになって頭（天頂部）床につけるくびの部分のすき間が出来るのですき間に入れて頭の力を抜くと同時に頭の重みで首筋が刺激され、されに自分で押す事によって強弱を調整する事が出来るそしてゆっくり左右に頭を動かす事により首筋全体が刺激され、マッサージされます．自分でやるのでマイペースで安心して出来ます
【符号の説明】
▲１▼Ｖの部分は頸椎にあたる部分なのでＶにする事によって違和感がありません（首の中央）
▲２▼下新織、百労のツボに入ります
▲３▼安眠を刺激します（肩の下に置くと肩井のツボに入ります）
▲４▼風地天柱のツボを刺激します
〔図２〕同上
▲１▼Ｕの部分頸椎にあたる部分
▲２▼下新織、百労のツボに入ります
▲３▼安眠のツボを刺激します
〔図３〕刺激がやさしい
▲１▼Ｖの部分は頸椎にあたる部分
▲２▼下新織、百労のツボに入ります
【図１】
2005230515.tif 000003
【図２】
2005230515.tif 000004
【図３】
2005230515.tif 000005